(57)【要約】      （修正有）【課題】静脈留置針に関し、引き抜かれた内針の先端部を収納するための収納筒を備えた、誤刺予防が施された留置針を提供する。【解決手段】留置針１０は、トロッカー外針基１２と、トロッカー１１と、内針１４と、収納筒１６と、針外針基１８と、を有する。収納筒１６には貫通孔１６１と、弾性部１５と、貼着板１７と、が配置される。内針１４がトロッカー外針基１２及びトロッカー１１から引き抜かれると、内針１４の先端は弾性部１５及び貼着板１７によって収納筒１６に収納され、内針１４の先端部が露出する事態を防止する。本考案の一実施例の誤刺予防が施された留置針１０によれば、内針１４のグリップ部１４１が平板状に形成される。【選択図】図１
0003204337.tif 000002
【実用新案登録請求の範囲】
【請求項１】
前端部と後端部とを有するトロッカー外針基と；
前記トロッカー外針基の前記前端部に配置されるトロッカーと；
前記トロッカー外針基の前記後端部に配置され、貫通孔と、弾性部と、貼着板と、を有する収納筒と；
前記収納筒を収納するための空間部を有する針外針基と；
先端部と、後端部と、前記先端部の近辺に配置されるグリップ部と、を有し、前記後端部は針外針基に固定され、前記先端部は前記収納筒の前記貫通孔と、貼着板と、弾性部と、トロッカー外針基と、トロッカーと、を貫通する内針と；を有し、
前記内針が前記トロッカー及び前記トロッカー外針基から引き抜かれた後、前記内針の前記先端部は前記弾性部、前記貼着板及び前記グリップ部によって前記収納筒に収納されることを特徴とする、誤刺予防が施された留置針。
【請求項２】
前記内針の前記グリップ部は平板状に形成されることを特徴とする、請求項１に記載の誤刺予防が施された留置針。
【請求項３】
前記収納筒は、それぞれ前記弾性部及び前記貼着板を配置するための第１凹部及び第２凹部を有することを特徴とする、請求項１に記載の誤刺予防が施された留置針。
【請求項４】
前記貼着板は、前記内針の前記グリップ部の通過を妨げる大きさの貼着孔を有する、請求項３に記載の誤刺予防が施された留置針。
【請求項５】
前記貼着孔の直径は前記内針の直径よりも若干大きく、グリップ部の幅よりも若干小さいことを特徴とする、請求項４に記載の誤刺予防が施された留置針。
【請求項６】
前記弾性部はブロック板と、前記ブロック板に形成されるブロック部と、を有し、前記ブロック板にストレスが与えられていない場合において、前記ブロック部が前記収納筒の前記貫通孔の通過を妨げることを特徴とする、請求項３に記載の誤刺予防が施された留置針。
【請求項７】
前記ブロック板が前記内針によって折り曲げられることにより、前記ブロック板の前記ブロック部が前記収納筒の前記貫通孔から離れて配置されることを特徴とする、請求項６に記載の誤刺予防が施された留置針。
【請求項８】
前記弾性部は更に支持部材を有することを特徴とする、請求項６に記載の誤刺予防が施された留置針。
【請求項９】
前記トロッカー外針基は、ストレート型のトロッカー外針基またはＹ型外針基から選択されることを特徴とする、請求項１に記載の誤刺予防が施された留置針。
【請求項１０】
前記トロッカー外針基は血液または薬剤の液漏れを防ぐ分離プラグを有するＹ型外針基であり、前記内針には前記先端部と前記グリップ部との間に配置される返血溝が形成されることを特徴とする、請求項９に記載の誤刺予防が施された留置針。
【考案の詳細な説明】
【技術分野】
【０００１】
本考案は静脈留置針に関し、特に、医療関係者が誤刺して怪我をする事態を予防するための安全対策がされた留置針に関する。
【背景技術】
【０００２】
複数回の穿刺による痛みを和らげるために、一般的に、静脈注射を複数回行う必要がある患者には静脈留置針が使用される。
【０００３】
一般的に、静脈留置針はトロッカーと、内針（穿刺針）と、を有する。医療目的で静脈留置針を使用すると、トロッカーは内針に先導され、人体の静脈に挿入される。血液の還流によって静脈注射が確認されると、内針が引き抜かれてトロッカーのみが静脈に残留する。その後、トロッカーによって、静脈への薬品注入又は採血が行われる。
【０００４】
従来の静脈留置針においては、保護構造が存在せず、内針が引き抜かれる際、内針が露出していた。患者の血液が付着した内針が医療関係者に誤って刺さると、感染を引き起こす。また、患者の血液が付着した内針の医療廃棄物処理を行う手間がかかる。
【先行技術文献】
【特許文献】
【０００５】
【特許文献１】米国特許公開第２０１３／００３０３７０号
【考案の概要】
【考案が解決しようとする課題】
【０００６】
本考案は静脈留置針に関し、特に誤刺を予防するための留置針に関する。
【０００７】
更に、本考案は引き抜かれた内針の先端部を収納するための収納筒を備えた、誤刺予防が施された留置針に関する。
【課題を解決するための手段】
【０００８】
本考案の一実施例によれば、前端部と後端部とを有するトロッカー外針基と；トロッカー外針基の前端部に配置されるトロッカーと；トロッカー外針基の後端部に配置され、貫通孔と、弾性部と、貼着板と、を有する収納筒と；収納筒を収納するための空間部を有する針外針基と；先端部と、後端部と、先端部の近辺に配置されるグリップ部と、を有し、後端部は針外針基に固定され、先端部は収納筒の貫通孔と、貼着板と、弾性部と、トロッカー外針基と、トロッカーと、を貫通する内針と；を有する。そして、内針がトロッカー及びトロッカー外針基から引き抜かれた後、内針の先端部は弾性部、貼着板及びグリップ部によって収納筒に収納される、誤刺予防が施された留置針に関する。
【０００９】
本考案の一実施例の誤刺予防が施された留置針によれば、内針のグリップ部が平板状に形成される。
【００１０】
本考案の一実施例の誤刺予防が施された留置針によれば、収納筒は、それぞれ弾性部及び貼着板を配置するための第１凹部及び第２凹部を有する。
【００１１】
本考案の一実施例の誤刺予防が施された留置針によれば、貼着板は、内針のグリップ部の通過を妨げる大きさの貼着孔を有する。
【００１２】
本考案の一実施例の誤刺予防が施された留置針によれば、貼着孔の直径は内針の直径よりも若干大きく、グリップ部の幅よりも若干小さい。
【００１３】
本考案の一実施例の誤刺予防が施された留置針によれば、弾性部はブロック板と、ブロック板に形成されるブロック部と、を有し、ブロック板にストレスが与えられていない場合において、ブロック部が収納筒の貫通孔の通過を妨げる。
【００１４】
本考案の一実施例の誤刺予防が施された留置針によれば、ブロック板が折り曲げられることにより、ブロック板のブロック部は収納筒の貫通孔から離れて配置される。
【００１５】
本考案の一実施例の誤刺予防が施された留置針によれば、弾性部は更に支持部材を有する。
【００１６】
本考案の一実施例の誤刺予防が施された留置針によれば、トロッカー外針基は、ストレート型のトロッカー外針基またはＹ型外針基から選択される。
【００１７】
本考案の一実施例の誤刺予防が施された留置針によれば、トロッカー外針基は血液または薬剤の液漏れを防ぐ分離プラグが形成されたＹ型外針基であり、内針には先端部とグリップ部との間に配置される返血溝が形成される。
【図面の簡単な説明】
【００１８】
【図１】本考案の第一実施例における誤刺予防が施された留置針の概略拡大図である。
【図２】図１に図示された、本考案の第一実施例における誤刺予防が施された留置針の一部の拡大斜視図である。
【図３】図１に図示された、本考案の第一実施例における誤刺予防が施された留置針の一部の概略組立図である。
【図４】図１に図示された、本考案の第一実施例における誤刺予防が施された留置針の概略組立図である。
【図５】図１に図示された、本考案の第一実施例における誤刺予防が施された留置針であり、内針を引き抜く際の概略図である。
【図６】図１に図示された、本考案の第一実施例における誤刺予防が施された留置針であり、内針を引き抜く際の拡大斜視図及び一部断面図である。
【図７】図１に図示された、本考案の第一実施例における誤刺予防が施された留置針であり、内針を引き抜く際の斜視図である。
【図８】本考案の実施例における誤刺予防が施された留置針の概略組立図である。
【図９】図８に図示された、本考案の実施例における留置針の部分拡大図である。
【考案を実施するための形態】
【００１９】
図１から図４には、本考案の一実施例における誤刺予防が施された留置針の概略拡大図、一部拡大斜視図、概略組立図が図示されている。本実施例によると、誤刺予防が施された留置針１０は、トロッカー１１と、トロッカー外針基１２と、内針１４と、収納筒１６と、針外針基１８と、を有する。トロッカー１１は、トロッカー外針基１２の前端部に配置される。内針１４は、第１先端部１４３と、第２後端部１４５とを有する。グリップ部１４１は、内針１４の第１先端部１４３の近辺に配置される。収納筒１６は、貫通孔１６１と、弾性部１５と、貼着板１７と、を有し、貼着板１７には貼着孔１７３が形成される。弾性部１５は、ブロック板１５３と、ブロック板１５３に形成されるブロック部１５５と、を有する。針外針基１８には、収納筒１６を収納するための空間部１８１が形成される。
【００２０】
誤刺予防が施された留置針１０を組み立てる際、内針１４の第２後端部１４５は、収納筒１６の貫通孔１６１及び貼着板１７の貼着孔１７３を貫通し、針外針基１８の内部に固定される。弾性部１５のブロック板１５３が折り曲げられることにより、ブロック部１５５と収納筒１６の貫通孔１６１とが離れて配置される。トロッカー１１及びトロッカー外針基１２は内針１４によって収納筒１６に接続され、第１先端部１４３がトロッカー１１から露出される。
【００２１】
図１に図示された本考案における誤刺予防が施された留置針の内針を引き抜く手順は、図５から７に図示されている。留置針１０を医療目的で使用すると、トロッカー１１は内針１４に先導され、人体の静脈に挿入される。血液の還流によって静脈注射が確認されると、内針１４が引き抜かれる。
【００２２】
内針１４を引き抜く際、最初に収納筒１６が支えてトロッカー外針基１２が移動する状態を防止し、その後、針外針基１８を引き抜くことにより内針１４が引き抜かれる。
内針１４のグリップ部１４１が貼着板１７の位置まで引き抜かれると、グリップ部１４１が貼着孔１７３に詰まる。また、内針１４の第１先端部１４３が弾性部１５のブロック板１５３から離れると、ブロック板１５３がリバウンドし、ブロック部１５５が収納筒１６の貫通孔１６１の通過を妨げる。これによって、内針１４の第１先端部１４３が露出される状態を防ぐ。内針１４が引き抜かれると、収納筒１６及びトロッカー外針基１２が分離され、トロッカー１１のみが静脈に残留する。
【００２３】
本考案の一実施例によると、貼着孔１７３の直径は内針１４の直径よりも若干大きく、グリップ部１４１の幅よりも若干小さい。
【００２４】
図８及び図９には、本考案の実施例における誤刺予防が施された留置針の概略組立図及び一部拡大図が図示されている。本考案の一実施例によると、トロッカー外針基は、ストレート型のトロッカー外針基１２（図１から図７参照）またはＹ型外針基８２（図８または図９参照）から選択される。本実施例による誤刺予防が施された留置針８０を有するＹ型外針基８２においては、内針１４、収納筒１６、針外針基１８の構造は図１の実施例と実質的に同じである。
【００２５】
Ｙ型外針基８２は、血液または薬剤の液漏れを防ぐ分離プラグ８２１を有する。内針１４の第１先端部１４３とグリップ部１４１との間には、返血を目視するための返血溝８４１が形成される。内針１４の第２後端部１４５は、針外針基１８に固定及び密閉される。
【００２６】
本考案の１実施形態によれば、内針１４のグリップ部１４１は平板状に形成される。本考案の１実施形態によれば、平板状の部分は所定の位置で内針１４を摘むことにより形成される。幅が広く形成された平板状の部分は、貼着板１７の貼着孔１７３に詰まる。
【００２７】
本考案の一実施例によると、収納筒１６は、それぞれ弾性部１５及び貼着板１７を配置するための第１凹部１６３及び第２凹部１６７を有する。
【００２８】
本考案の一実施例によると、弾性部１５には、ブロック板１５３が折り曲げられる際に弾性部１５を支持し、弾性部１５の移動を防ぐための支持部材１５７が形成される。
【００２９】
誤刺予防が施された留置針１０及び８０を使用することにより、患者の血液が付着した内針１４の第１先端部１４３は収納筒１６に収納される。これにより、内針１４の第１先端部１４３が露出される事態を防ぐ。さらに、医療関係者の安全が保障され、医療廃棄物処理を行う手間が軽減される。
【００３０】
本考案には、他にも様々な実施例が存在する。
当業者は、本考案の範囲から逸脱することなく、本考案の変更及び変形を行うことができ、それらの変更は請求の範囲に含まれる。
【符号の説明】
【００３１】
１０  …  留置針
１１  …  トロッカー
１２  …  トロッカー外針基
１４  …  内針
１５  …  弾性部
１６  …  収納筒
１７  …  貼着板
１８  …  針外針基
８０  …  留置針
８２  …  Ｙ型外針基
１４１  …  グリップ部
１４３  …  第１先端部
１４５  …  第２後端部
１５３  …  ブロック板
１５５  …  ブロック部
１５７  …  支持部材
１６１  …  貫通孔
１６３  …  第１凹部
１６７  …  第２凹部
１７３  …  貼着孔
１８１  …  空間部
８２１  …  分離プラグ
【図１】
0003204337.tif 000003
【図２】
0003204337.tif 000004
【図３】
0003204337.tif 000005
【図４】
0003204337.tif 000006
【図５】
0003204337.tif 000007
【図６】
0003204337.tif 000008
【図７】
0003204337.tif 000009
【図８】
0003204337.tif 000010
【図９】
0003204337.tif 000011